(57)【特許請求の範囲】
【請求項１】
送信側および受信側とするFAX端末装置間で行うFAX通信に異なる複数のディジタル通信網を介在させたFAX通信システムにおいて、該システムは、
前記複数のディジタル通信網にそれぞれ、前記FAX通信するゲートウェイ装置が配設され、
少なくとも、該FAX通信の経路上に配設された一のゲートウェイ装置に供給される信号の一部を破棄するか否かがあらかじめ設定され、該設定に応じて破棄処理を施す破棄機能ブロックを含み、
前記破棄機能ブロックは、第１のディジタル通信網で最初に前記送信側のFAX端末装置からのFAX通信が入力されるゲートウェイ装置と、第２のディジタル通信網で最初に前記受信側のFAX端末装置からのFAX通信が入力されるゲートウェイ装置とに配設されることを特徴とするFAX通信システム。
【請求項２】
請求項１に記載のシステムにおいて、前記破棄ブロックが、前記送信側のFAX端末装置と直接的に通信接続する第１のディジタル通信網または前記受信側のFAX端末装置と直接的に通信接続する第２のディジタル通信網のいずれかに配設されることを特徴とするFAX通信システム。
【請求項３】
送信側および受信側とするFAX端末装置間で行うFAX通信に異なる複数のディジタル通信網を介在させたFAX通信システムの通信方法において、該方法は、
前記複数のディジタル通信網の一つに備えたゲートウェイ装置に所定の信号を破棄するか否かを示すフラグを設定し、破棄の手順をインストールする第１の工程と、
該設定したフラグに応じて供給される信号のうち、前記所定の信号を破棄する第２の工程とを含み、
第１の工程は、第１のディジタル通信網で最初に前記送信側のFAX端末装置からのFAX通信が入力されるゲートウェイ装置と、第２のディジタル通信網で最初に前記受信側のFAX端末装置からのFAX通信が入力されるゲートウェイ装置とに前記フラグを設定し、前記破棄の手順をインストールして、FAX通信することを特徴とするFAX通信システムの通信方法。
【請求項４】
請求項３に記載の方法において、第１の工程は、前記送信側のFAX端末装置と直接的に通信接続する第１のディジタル通信網または前記受信側のFAX端末装置と直接的に通信接続する第２のディジタル通信網のいずれかのゲートウェイ装置に前記フラグを設定し、前記破棄の手順をインストールすることを特徴とするFAX通信システムの通信方法。
【発明の詳細な説明】
【０００１】
【発明の属する技術分野】
本発明は、FAX通信システムに関し、とくに複数の異なる種類のディジタル通信網をリンクさせてFAX通信するシステム等に関するものであり、また、本発明は、FAX通信システムの通信方法に関するものである。
【０００２】
【従来の技術】
FAX（Facsimile）端末装置から出力されるFAX信号には、介在するディジタル通信網までの間をITU-T（International Telecommunication Union-Telecommunication Standardization Sector) V.21で規定したモデム通信方式が適用される。すなわち、この間の通信はアナログ信号である。また、ディジタル通信網としてVoIP（Voice over Internet Protocol)やVoFR（Voice over Frame Relay)の通信は、ゲートウェイ装置を介して行われる。これらの間における通信は、ITU-T T.38勧告の規格に応じてIFP（Internet Facsimile Protocol)パケットを転送することによって行われる。VoIPとVoFRのように２つのディジタル通信網を介して行うFAX通信をディジタル2リンクFAX通信という。ディジタル2リンクFAX通信では、ディジタル通信網間の通信がアナログ信号で行うことから、A/D変換とD/A変換が２回ずつ行われる。
【０００３】
このディジタル2リンクFAX通信において、この転送に先立って行われるプリメッセージ手順は、ITU-T.30勧告のフェーズBを基に要求される機能の識別および選択を行っている。通信に用いる信号とその機能について以下に、簡単に説明する。NSF（Non-Standard Facilities:非標準装置)はITU-TのTシリーズ勧告の範囲外にある特定の利用者の要求を識別する。CSI（Called Station Identification:被呼局識別)は国際電話番号によって被呼端末を特定する。DIS（Digital Identification Signal:ディジタル識別信号)は被呼端末の標準能力を表す。DCS（Digital Command Signal:ディジタル命令信号)はDIS信号で識別され、標準機能に応答するディジタル設定命令である。TSI（Transmitting Station Identification:送信局識別)はこの後に続くFIF（Facsimile Information Field)情報が送信端末の識別であることを表す。TCF（Training ConFirmation:トレーニングチェック)はトレーニングを確かめ、このデータ速度でチャネルが使用できることを最初に表示するためTTC（the Telecommunication Technology:電信電話技術委員会)標準JT-T4変調システムを介して送出される信号である。ここで、JT-T4変調システムとは、日本国内独自の標準の勧告T4規格に基づいて変調するシステムである。CFR（ConFirmation to Receive:受信準備確認)はプリメッセージ手順がすべて終了し、メッセージ送出を開始してよいことを確認するディジタル応答信号である。
【０００４】
送信側（TCFおよび画データの受信側）のFAX端末装置は、NSF/CSI/DIS信号をVoIP網のゲートウェイ装置に出力する。VoIP網のゲートウェイ装置間では、ディジタル化したCSI/DIS信号により通信が行われ、VoIP網とVoFR網のゲートウェイ装置間では、アナログ化したCSI/DIS信号により通信が行われる。再び、アナログ化したCSI/DIS信号がVoFR網のゲートウェイ装置間で、ディジタル化され、ディジタル化したCSI/DIS信号によりVoFR網の通信が行われる。VoFR網のゲートウェイ装置は、受信側（TCFおよび画データの送信側）のFAX端末装置がアナログ信号を受信信号の形態としていることから、CSI/DIS信号を受信形態に合わせて出力する。
【０００５】
受信側のFAX端末装置は、受信したCSI/DIS信号に応じてTSI/DCS信号を送信側のFAX端末装置に向けてアナログ形態で出力する。TSI/DCS信号は、受信側のFAX端末装置-VoFR網のゲートウェイ装置間をアナログ、VoFR網内をディジタル、VoFR網-VoIP網の間をアナログ、VoIP網内をディジタル、VoIP網のゲートウェイ装置と送信側のFAX端末装置と間をアナログ形態に変換されて、供給される。受信側のFAX端末装置は、TSI/DCS信号の送出から所定の時間経過後にTCF信号をVoFR網のゲートウェイ装置に出力する。VoIP網のゲートウェイ装置も、TSI/DCS信号の送出から所定の時間経過後に1.5秒間連続してTCF信号を送信側のFAX端末装置に送出する。
【０００６】
送信側のFAX端末装置は、TCF信号を受信した後、CFR信号を受信側のFAX端末装置に送出する。CFR信号は、CSI/DIS信号の送出形態と同様にそれぞれに合った形態に変換してVoIP網、VoFR網を介して受信側のFAX端末装置に供給される。
【０００７】
ところで、受信側のFAX端末装置は、TSI/DCS信号の再送出（リトライ）を3秒または端末装置によって2.5秒に規定している。この再送出を回避するには、送信側のFAX端末装置が送出するCFR信号をこの時間内に受信側のFAX端末装置で受信することが要求される。
【０００８】
【非特許文献１】
ITU-T.30勧告、1996年
【非特許文献２】
ITU-T.38勧告、1998年6月。
【０００９】
【発明が解決しようとする課題】
ところが、VoIP網とVoFR網とをつなげる２リンクによって遅延が発生することがある。この遅延によってCFR信号が遅れると、CFR信号が受信側のFAX端末装置が再送出するTSI/DCS信号と衝突してしまう場合がある。とくにタイムアウト値が短い2.5秒が規定されているFAX端末装置等で生じる虞が高い。
【００１０】
本発明はこのような従来技術の欠点を解消し、送信側FAX端末装置からの信号と受信側のFAX端末装置が再送信する信号との衝突を避けることができるFAX通信システムおよびその通信方法を提供することを目的とする。
【００１１】
【課題を解決するための手段】
本発明は上述の課題を解決するために、送信側および受信側とするFAX端末装置間で行うFAX通信に異なる複数のディジタル通信網を介在させたFAX通信システムにおいて、このシステムは、複数のディジタル通信網にそれぞれ、FAX通信するゲートウェイ装置が配設され、少なくとも、このFAX通信の経路上に配設された一のゲートウェイ装置に供給される信号の一部を破棄するか否かがあらかじめ設定され、この設定に応じて破棄処理を施す破棄機能ブロックを含むことを特徴とする。
【００１２】
本発明のFAX通信システムは、複数のディジタル通信網の一つにおいて配設されたゲートウェイ装置の少なくとも、一つに破棄機能ブロックを設けて、あらかじめ破棄するか否かが設定されており、この設定に応じて供給される信号の一部を破棄することにより、転送する信号量を削減して転送の所要時間を短縮する。
【００１３】
また、本発明は上述の課題を解決するために、送信側および受信側とするFAX端末装置間で行うFAX通信に異なる複数のディジタル通信網を介在させたFAX通信システムの通信方法において、この方法は、複数のディジタル通信網の一つに備えたゲートウェイ装置に所定の信号を破棄するか否かを示すフラグを設定し、破棄の手順をインストールする第１の工程と、この設定したフラグに応じて供給される信号のうち、所定の信号を破棄する第２の工程とを含みFAX通信することを特徴とする。
【００１４】
本発明のFAX通信システムの通信方法は、複数のディジタル通信網の一つに備えたゲートウェイ装置に所定の信号を破棄するか否かを示すフラグを設定し、破棄の手順をインストールし、供給される信号を解析し、フラグの設定が破棄を示している場合、供給される信号が含む所定の信号を破棄することにより、転送する信号量を削減して転送の所要時間を短縮する。
【００１５】
【発明の実施の形態】
次に添付図面を参照して本発明によるFAX通信システムの実施例を詳細に説明する。
【００１６】
本実施例は、本発明のFAX通信システムをディジタル2リンクFAXシステム10に適用した場合である。本発明と直接関係のない部分について図示および説明を省略する。以下の説明で、信号はその現れる接続線の参照番号で指示する。
【００１７】
ディジタル2リンクFAXシステム10は、図２に示すように、FAX端末装置12, 14およびゲートウェイ装置16, 18, 20, 22を含んでいる。本実施例においてFAX端末装置12は送信側（画データ受信側）とし、FAX端末装置14は受信側（画データ送信側）とする。FAX端末装置12, 14では、通常使用しているアナログのFAX信号で送受信が行われている。
【００１８】
ゲートウェイ装置16, 18はVoIP網24を挟んでVoIP網24にそれぞれ接続され、VoIPに対応したパケットによりFAXデータを通信する機能を有している。ゲートウェイ装置20, 22はVoFR網26を挟んでVoFR網26にそれぞれ接続され、VoFRに対応したパケットによりFAXデータを通信する機能を有している。また、通信経路上のゲートウェイ装置16は、前述したFAX端末装置12とアナログ通信を行う。通信経路上のゲートウェイ装置22は、FAX端末装置14とアナログ通信を行う。これに対して、VoIP網24およびVoFR網26では、ディジタル信号で通信が行われている。VoIP網24とVoFR網26との間は、アナログ形式のモデム信号により通信が行われる。
【００１９】
このようにして２つのディジタル網を介在させたFAX端末装置12, 14にてFAX通信を行うため、ゲートウェイ装置16, 18, 20, 22は、A/D変換部とD/A変換部を有している。ゲートウェイ装置16, 18, 20, 22は、本実施例のシステム10においてそれぞれ、レイヤ３におけるFAX通信を行っている。このFAX通信を行う上でゲートウェイ装置16, 18, 20, 22は、基本的に同じ構成である。
【００２０】
ただし、ゲートウェイ装置16, 18は、ヘッダ部を20バイト、情報部（ペイロード部）を46〜1500バイトの可変とし、ゲートウェイ装置20, 22は、ヘッダ部を6バイト、情報部にて上位プロトコルの情報を可変とし、データを転送するフォーマットに対応して通信する。
【００２１】
このように同じ構成にあることから、図１に示すゲートウェイ装置16における概略的な構成およびソフトウェアによる各機能部の構成を簡単に説明する。ゲートウェイ装置16は、ディジタル信号処理部28、モデム制御部30およびFAX制御部32を含む。ディジタル信号処理部28は、FAX端末装置12との間でFAX信号34を送受信するモデム36を内蔵して、ディジタル化したFAX信号に対してディジタル信号処理を施す機能を有している。また、ディジタル信号処理部28は、この場合、VoIP網24の外部に配設されたFAX端末装置12とFAX信号34を送受信する信号変換部としてA/D変換部38およびD/A変換部40を含む。
【００２２】
モデム制御部30は、ディジタル信号処理部28とFAX制御部32との間であって、この間におけるデータの送受信を制御する機能を有している。モデム制御部30は、ディジタル信号処理部28に対して図示しないFAX信号の送信要求と受信要求をそれぞれ、出力してFAX信号42の送受信を制御する。また、モデム制御部30は、FAX制御部32とのFAX信号44の送受信も制御している。
【００２３】
FAX制御部32は、とくに、供給されるFAX信号44, 46をデータ解析する機能と、解析結果に応じた形式に対応させて出力調整する機能とを有している。VoIP網24との通信に対応させて、FAX制御部32は、データ解析機能部48でFAX信号44を解析し、出力調整機能部50で解析したデータをIFPパケットに乗せたFAX信号46にして出力する。この逆に、FAX制御部32は、VoIP網24からFAX信号46を出力調整機能部50で受信し、受信したFAX信号46をデータ解析機能部48に供給して、IFPパケットを抽出して解析し、解析したデータをたとえば出力調整機能部50でモデム用のデータとするFAX信号44に調整してモデム制御部30に出力する。
【００２４】
また、FAX制御部32には、本発明の特徴であるレジスタ48が設けられている。レジスタ52は、ゲートウェイ装置16のシステムデータが設定されている。システムデータとは、装置の設定情報であり、本実施例ではFAX信号のTSI信号を破棄するか否かを指示する情報を含んでいる。レジスタ52がTSI信号の破棄を示すフラグを有すると、データ解析機能部48は、TSI信号の有無を解析する。出力調整機能部50は、この解析結果に応じてTSI信号を除く処理を施し、送受信にそれぞれ応じてこれ以外のFAX信号をVoIP網24またはモデム制御部30に送信する。出力調整機能部50は、破棄機能ブロックに相当し、フラグが破棄を示すとき、解析結果にTSI信号を含むとの判定に応じてTSI信号を破棄する。広義に見れば、破棄機能ブロックは、出力調整機能部50だけでなく、データ解析機能部48およびレジスタ52も含むものと考えることもできる。
【００２５】
このようにしてFAX信号の通信においてたとえば、オプション信号に対する破棄の指示フラグの設定に応じて所定の信号を破棄することにより、通信に要する時間を短縮することができる。すなわち、FAXシステム10における通信の遅延を抑制することにより、受信側のFAX端末装置14において再送信の時間を規定するタイムアウト前に所定の信号、たとえばCFR信号を受信することができ、再送信にともない送出する信号とCFR信号との衝突を回避することができる。
【００２６】
次にFAXシステム10において破棄の指示フラグをゲートウェイ装置18に設定した場合について図３を参照しながら、説明する。ここで示す通信シーケンスは、プリメッセージ手順を例に挙げる。時刻T10にてFAX端末装置12がNSF/CSI/DIS信号60をゲートウェイ装置16に出力する。ゲートウェイ装置16は、時刻T12においてデータ解析し、供給されたNSF/CSI/DIS信号60の内、IFPパケットにCSI/DIS信号62を格納してゲートウェイ装置18に供給する。
【００２７】
ゲートウェイ装置18は、VoIP網24とVoFR網26の間に対応して供給されたCSI/DIS信号62をアナログ信号に変換したCSI/DIS信号64を時刻T14にゲートウェイ装置20に出力する。時刻T16にてゲートウェイ装置20は、VoFR網26に接続しているゲートウェイ装置22にディジタル化したCSI/DIS信号66を出力する。ゲートウェイ装置22は、供給されたCSI/DIS信号66をFAX端末装置14の受信形式に調整し、時刻T18にてアナログのCSI/DIS信号68をFAX端末装置14に出力する。
【００２８】
FAX端末装置14は、CSI/DIS信号68を受信して、時刻T20にTSI/DCS信号70をゲートウェイ装置22に出力する。FAX端末装置14は、この出力に応じてあらかじめ設定しておいたタイムアウト72までの時間経過の計測を開始する。時刻T22でゲートウェイ装置22は、ディジタル化したTSI/DCS信号74をゲートウェイ装置20に供給する。時刻T24でゲートウェイ装置20は、供給されたTSI/DCS信号74をアナログ形式のTSI/DCS信号76に変換してゲートウェイ装置18に送出する。
【００２９】
ゲートウェイ装置18は、データ解析機能部48で供給されたTSI/DCS信号76を解析し、あらかじめ格納しているシステムデータの破棄指示データ（TSI破棄フラグ）に対応するか否かを解析結果と比較して判定する。この判定により、出力調整機能部50はTSI/DCS信号76のTSI信号を破棄し、時刻T26にてディジタル化したDCS信号78をゲートウェイ装置16に出力する。ゲートウェイ装置16は、供給されたDCS信号78をデータ解析し、解析結果に応じてアナログ形式に変換したDCS信号80を時刻T28にてFAX端末装置12に出力する。FAX端末装置14およびゲートウェイ装置16は、それぞれゲートウェイ装置22とFAX端末装置12に所定の時間が経過した後、TCF信号82, 84を送出している。
【００３０】
FAX端末装置12は、DCS信号80の供給を受けて、時刻T30にてCFR信号86をゲートウェイ装置16に送出する。以下、ゲートウェイ装置16, 18, 20, 22は、それぞれ、時刻T32, T34, T36, T38でCFR信号88, 90, 92, 94をゲートウェイ装置18, 20, 22, FAX端末装置14に出力する。FAX端末装置14は、CFR信号94を時刻T40に受信する。これら一連のシーケンスにおいて、CFR信号94がFAX端末装置14に到達するまでの時間、すなわち時刻T20〜T40までの時間がタイムアウト72の時間よりも短い時間で済む。これにより、FAX端末装置14は、TSI/DCS信号70の再送信を行わずに済ますことができ、CFR信号94との衝突を防止することができる。
【００３１】
この時間短縮が可能な理由を以下に説明する。FAX端末装置14から送出されるTSI信号は、ITU-T.30勧告によれば、オプションとされている。図示しないがTSI信号のフィールドは20バイトとされている。このフィールドにアドレスフィールド、制御フィールドおよびFCS（Frame Check Sequence)を合わせると、24バイト（24×8=192ビット)になる。24バイトの信号が300 bit/sで送信されると、(24×8/300)×1000=640 msで送出されることがわかる。ゲートウェイ装置18でTSI信号を破棄すると、通信先のゲートウェイ装置16にはTSI信号が転送されない。ゲートウェイ装置18は、これまで転送に要していた時間、すなわち640 ms分短縮できることになる。ゲートウェイ装置16は、FAX端末装置12にもTSI信号が転送されないので、転送時間が短縮される。
【００３２】
したがって、この場合、FAX端末装置14からの応答信号TSI/DCS信号70は、ゲートウェイ装置18からFAX端末装置12までのTSI信号の破棄を考慮すると、640 ms分、短縮することができる。これにより、FAX端末装置14は、この時間分、CFR信号を早く受信することができる。
【００３３】
ゲートウェイ装置16にTSI信号の破棄機能が設定されていても、この場合、短縮時間は、640 msになる。この時間短縮の効果を受ける経路が長ければ長いほどTSI信号を転送していた場合に比べて転送時間を有効に短縮することができる。すなわち、オプション信号を送出するFAX端末装置14に最も近いゲートウェイ装置にオプション信号の破棄機能を設定すると、FAX端末装置12に供給する経路上にて提供する情報が少なくて済むからである。
【００３４】
本実施例においてゲートウェイ装置22がこの条件に適合する装置である。ゲートウェイ装置22にTSI信号の破棄機能を持たせると、図４に示すように、ゲートウェイ装置22は、FAX端末装置22から供給されたTSI/DCS信号70をデータ解析し、TSI信号を破棄して、時刻T22にDCS信号96をゲートウェイ装置20に出力する。この場合もTSI信号は、ITU-T.30勧告に応じた規格であるから、640 ms分の短縮となる。時間短縮に応じてゲートウェイ装置20以後にも短縮効果が伝播する。ゲートウェイ装置20は、時刻T42にてDCS信号98をゲートウェイ装置18に出力する。VoIP網24に接続するゲートウェイ装置18は、時刻44にてDCS信号100をゲートウェイ装置16に出力し、ゲートウェイ装置16は、時刻T46にてDCS信号102をFAX端末装置12に供給する。
【００３５】
FAX端末装置12は、DCS信号102の供給を受けてCFR信号86をゲートウェイ装置16に出力する。ただし、出力する時刻はT48で時刻T30よりも前の時刻である。ゲートウェイ装置16, 18, 20, 22は、それぞれ、時刻T50, T52, T54、T56にCFR信号88, 90, 92, 94を出力する。時刻T20〜CFR信号94がFAX端末装置14に達する時刻T58までの時間は、設定されたタイムアウトの時間72よりも短い。したがって、FAX端末装置14は、TSI/DCS信号70を再送信しないので、CFR信号94との衝突を防止することができる。
【００３６】
なお、本実施例では、オプション信号を送出するFAX端末装置が受信側のFAX端末装置14であることから、破棄機能を有するゲートウェイ装置がゲートウェイ装置22であったが、これに限定されることなく、本実施例にて送信側のFAX端末装置12に最も近いゲートウェイ装置16に設けてもよいし、ゲートウェイ装置16, 22の両方に設けてもよい。
【００３７】
以上のように構成することにより、VoIP網24やVoFR網26の一つにおいて配設されたゲートウェイ装置の少なくとも、一つに破棄機能を有する出力調整機能部50を設けて、あらかじめレジスタ52に破棄するか否かのフラグを設定し、このフラグの設定に応じて供給される信号の一部であるTSI信号（オプション信号）を破棄し、転送する信号量を削減して転送の所要時間を短縮することにより、受信側の装置から再送信するタイムアウト前に送信側からの信号を供給して再送信を回避することができ、送信側と受信側双方からの信号が衝突することを防止することができる。
【００３８】
FAXシステム10は、破棄機能を持つゲートウェイ装置をFAX端末装置12と直接通信するVoIP網24のゲートウェイ装置16またはFAX端末装置14と直接通信するVoFR網26のゲートウェイ装置22のいずれかに配設してもよい。また、FAXシステム10は、破棄機能を持つゲートウェイ装置をゲートウェイ装置16, 22に配設してもよい。これにより、FAXシステム10は、転送する信号量を削減して転送の所要時間を短縮することにより、受信側の装置から再送信するタイムアウト前に送信側からの信号を供給して再送信を回避することができ、送信側と受信側双方からの信号が衝突することを防止することができる。
【００３９】
また、ディジタル2リンクFAXシステム10における通信方法によれば、VoIP網24やVoFR網26の一つに備えたゲートウェイ装置に所定の信号を破棄するか否かを示すフラグを設定し、破棄の手順をインストールし、供給される信号を解析し、フラグの設定が破棄を示している場合、供給される信号が含む所定の信号を破棄し、転送する信号量を削減して転送の所要時間を短縮することにより、受信側の装置から再送信するタイムアウト前に送信側からの信号を供給して再送信を回避することができ、送信側と受信側双方からの信号が衝突することを防止することができる。
【００４０】
FAXシステム10の通信方法は、破棄機能を持つゲートウェイ装置をFAX端末装置12と直接通信するVoIP網24のゲートウェイ装置16またはFAX端末装置14と直接通信するVoFR網26のゲートウェイ装置22のいずれかに配設して通信を行うようにしてもよい。また、FAXシステム10の通信方法は、破棄機能を持つゲートウェイ装置をゲートウェイ装置16, 22に配設しても通信してもよい。この通信方法により、オプション信号を削除して転送する信号量を少なくして転送の所要時間を短くし、受信側のFAX端末装置14からの再送信するタイムアウト前に送信側からの信号を到達させて、再送信を回避する。この回避により、送信側からの信号と受信側からの再送信信号との衝突を防止することができる。
【００４１】
【発明の効果】
このように本発明のFAX通信システムによれば、複数のディジタル通信網の一つにおいて配設されたゲートウェイ装置の少なくとも、一つに破棄機能ブロックを設けて、あらかじめ破棄するか否かが設定されており、この設定に応じて供給される信号の一部を破棄し、転送する信号量を削減して転送の所要時間を短縮することにより、受信側の装置から再送信するタイムアウト前に送信側からの信号を供給して再送信を回避することができ、送信側と受信側双方からの信号が衝突することを防止することができる。
【００４２】
また、本発明のFAX通信システムの通信方法によれば、複数のディジタル通信網の一つに備えたゲートウェイ装置に所定の信号を破棄するか否かを示すフラグを設定し、破棄の手順をインストールし、供給される信号を解析し、フラグの設定が破棄を示している場合、供給される信号が含む所定の信号を破棄し、転送する信号量を削減して転送の所要時間を短縮することにより、受信側の装置から再送信するタイムアウト前に送信側からの信号を供給して再送信を回避することができ、送信側と受信側双方からの信号が衝突することを防止することができる。
【図面の簡単な説明】
【図１】本発明のFAX通信システムを適用したゲートウェイ装置の概略的な構成およびソフトウェアによる機能を示す図である。
【図２】本発明のFAX通信システムを適用したディジタル2リンクFAXシステムの構成を示す図である。
【図３】図２のディジタル2リンクFAXシステムの通信手順を説明するシーケンスチャートである。
【図４】図２のディジタル2リンクFAXシステムにて破棄機能を受信側のFAX端末装置に最も近いゲートウェイ装置に配設した場合のシーケンスチャートである。
【符号の説明】
10  ディジタル2リンクFAXシステム
12, 14  FAX端末装置
16, 18, 20, 22 ゲートウェイ装置
24  VoIP網
26  VoFR網
48  データ解析機能部
50  出力調整機能部
52  レジスタ
【図１】
0004213530.tif 000002
【図２】
0004213530.tif 000003
【図３】
0004213530.tif 000004
【図４】
0004213530.tif 000005